(57)【要約】  【課題】高温域において高い脱塩・脱硫性能を達成することができ、ダストやチャーにタール分が付着して装置の目詰りによる圧力損失の上昇を来すことがない、ガス化発電システムにおける高温での酸成分除去方法を提供する。【解決手段】ガス化工程の後かつサイクロン処理工程の前で、脱塩・脱硫機能を有するサイクロン上流側添加剤を、発電工程から出るガスを熱回収後に添加剤キャリアガスとして用いて、ガス化ガスに供給し、ＣＯ２吸収・改質工程で用いるＣＯ２吸収剤をガス温度域４５０〜７００℃の温度域でＣＯ２吸収させ、ＣＯ２吸収量が飽和に達した時、改質触媒層昇温用の酸素または空気の流れをＣＯ２吸収剤充填層の直上流へ切り替え、同吸収剤充填層を８００〜９５０℃の温度域に昇温して同吸収剤からＣＯ２を離脱させる。【特許請求の範囲】
【請求項１】
ガス化材料を部分燃焼ガス化するガス化工程と、前記ガス化工程から出るガス化ガスを粗粉体捕集処理するサイクロン処理工程と、前記サイクロン処理工程から出る粗粉体除去済みガス化ガスを除塵処理するバグフィルタ処理工程と、前記バグフィルタ処理工程から出る除塵済みガス化ガスをＣＯ２吸収・改質処理するＣＯ２吸収・改質工程と、前記ＣＯ２吸収・改質工程から出る改質ガスを利用して発電を行う発電工程とを含むガス化発電システムにおいて、
前記ガス化工程の後かつ前記サイクロン処理工程の前で、脱塩・脱硫機能を有するサイクロン上流側添加剤を、前記発電工程から出るガスを熱回収後に添加剤キャリアガスとして用いて、ガス化ガスに供給すること、および、
前記ＣＯ２吸収・改質工程で用いるＣＯ２吸収剤をガス温度域４５０〜７００℃の温度域でＣＯ２吸収させ、ＣＯ２吸収量が飽和に達した時、改質触媒層昇温用の酸素または空気の流れをＣＯ２吸収剤充填層の直上流へ切り替え、同吸収剤充填層を８００〜９５０℃の温度域に昇温して同吸収剤からＣＯ２を離脱させることを特徴とする、
ガス化発電方法における高温での酸成分除去方法。
【請求項２】
前記サイクロン上流側添加剤がＣＯ２吸収・除去機能をも有する、請求項１に記載のガス化発電方法における高温での酸成分除去方法。
【請求項３】
前記サイクロン上流側添加剤の平均粒径が１００〜１０００μｍであることを特徴とする、請求項１または２に記載のガス化発電方法における高温での酸成分除去方法。
【請求項４】
前記サイクロン上流側添加剤が、焼成ドロマイト、消石灰、アルミン酸ソーダおよび重曹からなる群から選ばれることを特徴とする、請求項１〜３のいずれか１項に記載のガス化発電方法における高温での酸成分除去方法。
【請求項５】
前記サイクロン処理工程の後かつ前記バグフィルタ処理工程の前で、脱塩・脱硫機能を有しかつ前記サイクロン上流側添加剤と同一であっても異なっていてもよいサイクロン下流側添加剤であって、焼成ドロマイト、消石灰、アルミン酸ソーダおよび重曹からなる群から選ばれる添加剤を、前記発電工程から出るガスを熱回収後に添加剤キャリアガスとして用いて、粗粉体除去済みガス化ガスに供給することを特徴とする、請求項１〜４のいずれか１項に記載のガス化発電方法における高温での酸成分除去方法。
【請求項６】
前記サイクロン処理工程において前記添加剤を含む粗粉体を捕集して、該捕集粗粉体を前記ガス化材料と共に前記ガス化工程に供給することを特徴とする、請求項１〜５のいずれか１項に記載のガス化発電方法における高温での酸成分除去方法。
【請求項７】
前記ＣＯ２吸収・改質工程で用いるＣＯ２吸収剤がＣａＯ、Ｃａ（ＯＨ）２および焼成ドロマイトからなる群から選ばれることを特徴とする、請求項１〜６のいずれか１項に記載のガス化発電方法における高温での酸成分除去方法。
【請求項８】
前記改質ガスを熱回収処理後にＮａＯＨ水溶液によってＣＯ２吸収処理し、生じたＮａ２ＣＯ３を回収・除去することを特徴とする、請求項１〜７のいずれか１項に記載のガス化発電方法における高温での酸成分除去方法。
【請求項９】
ガス化材料を部分燃焼ガス化するガス化炉と、前記ガス化炉の下流に設置されて同炉から出るガス化ガスを粗粉体捕集処理するサイクロンと、前記サイクロンの下流に設置されてここから出る粗粉体除去済みガス化ガスを除塵処理するバグフィルタと、前記バグフィルタの下流に設置されてここから出る除塵済みガス化ガスをＣＯ２吸収・改質処理するＣＯ２吸収・改質炉と、前記ＣＯ２吸収・改質炉の下流に設置されて同炉から出る改質ガスを利用して発電を行う発電設備とを含むガス化発電システムにおいて、
前記ガス化炉から前記サイクロンへの流路に、脱塩・脱硫機能を有する添加剤を供給するサイクロン上流側添加剤供給ラインが設けられ、同供給ラインに前記発電設備から来るキャリアガスラインが接続され、前記ＣＯ２吸収・改質炉のＣＯ２吸収剤充填層の直上流にＣＯ２吸収量が飽和に達した時に改質炉昇温用の酸素または空気をＣＯ２吸収剤充填層へ切り替える酸素または空気供給ラインが接続されていることを特徴とする、
ガス化発電システムにおける高温での酸成分除去装置。
【請求項１０】
前記サイクロンから前記バグフィルタへの流路に、脱塩・脱硫機能を有する添加剤を供給するサイクロン下流側添加剤供給ラインが設けられ、同供給ラインに前記発電設備から来るキャリアガスラインが接続されていることを特徴とする、
請求項９に記載のガス化発電システムにおける高温での酸成分除去装置。
【発明の詳細な説明】
【技術分野】
【０００１】
本発明は、廃棄物をガス化・改質して得られる可燃性ガスを利用してガスタービンやガスエンジンで発電を行うシステムにおいて、高温のガス化ガス中の酸成分除去を高い除去率で達成する方法および該方法を実施するために用いられる装置に関する。
【背景技術】
【０００２】
近年、地球温暖化対応への対処が強く求められ、廃棄物を利用した発電においても、ごみ焼却発電（ＢＴＧ発電）の蒸気温度高温化による発電効率向上や、廃棄物をガス化・改質した可燃性ガスを利用してガスタービンやガスエンジンで発電を行うシステムが研究されている。
【０００３】
このような発電システムにおいて、不燃物や各種の金属類、特に金属アルミニウムを含む廃棄物のガス化は、一般的には７００℃以下、通常は５００〜６５０℃程度で行われる。ガス化されたガスは、改質炉において未燃のチャーやタール成分が水蒸気によって可燃性ガスに改質される。改質反応は、無触媒で行う場合には１０００〜１２００℃程度で、触媒を用いる場合は８００〜１０００℃程度で行われる。
【０００４】
たとえば特許文献１には、ガス化炉、高温集塵設備、タール分解設備、精製設備等で構成されるガス化発電システムが記載されている。このガス化発電システムでは、ガス化炉で生成した８００〜９００℃のガスが、セラミックフィルタ等を備えた高温集塵設備で除塵された後、タール分などの分解触媒を備えたタール分解設備に送給される。
【０００５】
廃棄物をガス化したガス中には、未燃のチャーやタールの他にＨ２やＣＨ４、ＣＯ等の可燃性ガス、ＣＯ２やダスト、廃棄物に含まれるハロゲンやＳに由来するＨＣｌやＳＯ２、ＳＯ３ガス等が含まれる。
【０００６】
触媒を用いて改質反応を行う場合には、ニッケル系や貴金属系の改質触媒が用いられるが、ガス化したガス中に含まれるＨＣｌやＳＯ２、ＳＯ３ガス等によって改質触媒が被毒される。このような、改質触媒の被毒を防止するためには、改質炉の上流において被毒性のガス成分を除去する必要がある。しかし、特許文献１に記載の高温集塵設備では除塵を行うだけで脱塩・脱硫は行われないため、タール分などの分解触媒の性能が低下するおそれがあった。
【０００７】
従来、乾式法を適用したごみ焼却システム等の脱塩・脱硫技術として、排ガス流に消石灰（Ｃａ（ＯＨ）２）や重曹（ＮａＨＣＯ３）等の粉体薬剤を吹込み、固体状の反応生成物をバグフィルタで除去する技術が知られている。この技術は１５０〜２００℃の排ガス温度域に適用され、温度が低いほど除去効率が良い。また、このような技術を適用して熱分解ガスを精製する技術が開示されている（特許文献２）。特許文献２に開示されている技術の一つは、熱分解ガスの精製を、ダスト除去用のバグフィルタと、脱塩用の第２バグフィルタにより行うものである。ダスト除去済熱分解ガスは第２バグフィルタの手前で消石灰や酸化カルシウム（ＣａＯ）、炭酸カルシウム、重曹、炭酸ナトリウム（Ｎａ２ＣＯ３）などのアルカリ剤と混合されて、ＨＣｌが第２バグフィルタで固体の反応生成物として除去されるもので、熱分解温度域に近い３００〜６００℃で適用される。しかし、この温度域ではＨＣｌが炭酸ガスと競争することになり、高いＨＣｌ除去率を得るためには多くの薬剤を必要とする。また、ダスト除去用のバグフィルタでは脱塩・脱硫が行われないため、熱分解ガスの精製が不十分となるおそれがあった。
【０００８】
また、炭酸ナトリウムとアルミナゾルの混合物を乾燥した後、粉砕・焼成して製造するアルミン酸ナトリウム（ＮａＡ１Ｏ２）系のハロゲン化物吸収剤が開示されている（特許文献３）。 このハロゲン化物吸収剤の粒径は２５０〜５００μｍで、特許文献３では固定床流通式反応装置を用いて４００℃でハロゲン化物除去性能の評価を行っている。しかし、 ５００℃未満の温度域で、廃棄物の熱分解ガス煙道に固定床流通式反応装置を設置して乾式脱塩・脱硫を行うと、ダストやチャーにタール分が付着してこれが固定床流通式反応装置内のハロゲン化吸収剤に固着し、目詰りによる圧力損失の上昇により安定な運転ができない。例えば、油成分（タール成分）としてポリスチレンを用いた濾過試験では、ポリスチレンがフィルターに付着すること、フィルターに付着したポリスチレンは５００℃以上の温度で加熱処理すると油分が除去されて圧力損失が元に戻ることが報告されている（非特許文献１）。
【先行技術文献】
【特許文献】
【０００９】
【特許文献１】特開２００６−０３７０１２号公報
【特許文献２】特開２００２−１３０６２８号公報
【特許文献３】特許第３５７１２１９号公報
【非特許文献】
【００１０】
【非特許文献１】小川彰一、他、セラミックフィルタによるポリスチレン熱分解ガスの炭化水素成分の捕集・再生特性、粉体工学会誌、Ｖｏ１．４０Ｎｏ．１１、ｐ１９−２５、２００３
【発明の概要】
【発明が解決しようとする課題】
【００１１】
本発明は、上述した従来技術の問題を解消すべく、高温域において高い脱塩・脱硫性能を達成することができ、また、ダストやチャーにタール分が付着して装置の目詰りによる圧力損失の上昇を来すことがない、ガス化発電システムにおける高温での酸成分除去方法およびその装置を提供することを目的とする。
【課題を解決するための手段】
【００１２】
本発明は、上記目的を達成すべくなされたものであって、下記の態様を含む。
【００１３】
（１）  ガス化材料を部分燃焼ガス化するガス化工程と、前記ガス化工程から出るガス化ガスを粗粉体捕集処理するサイクロン処理工程と、前記サイクロン処理工程から出る粗粉体除去済みガス化ガスを除塵処理するバグフィルタ処理工程と、前記バグフィルタ処理工程から出る除塵済みガス化ガスをＣＯ２吸収・改質処理するＣＯ２吸収・改質工程と、前記ＣＯ２吸収・改質工程から出る改質ガスを利用して発電を行う発電工程とを含むガス化発電システムにおいて、
前記ガス化工程の後かつ前記サイクロン処理工程の前で、脱塩・脱硫機能を有するサイクロン上流側添加剤を、前記発電工程から出るガスを熱回収後に添加剤キャリアガスとして用いて、ガス化ガスに供給すること、および、
前記ＣＯ２吸収・改質工程で用いるＣＯ２吸収剤をガス温度域４５０〜７００℃、好ましくは５４０〜６４０℃の温度域でＣＯ２吸収させ、ＣＯ２吸収量が飽和に達した時、改質触媒層昇温用の酸素または空気の流れをＣＯ２吸収剤充填層の直上流へ切り替え、同吸収剤充填層を８００〜９５０℃、好ましくは８５０〜９００℃の温度域に昇温して同吸収剤からＣＯ２を離脱させることを特徴とする、
ガス化発電方法における高温での酸成分除去方法。
【００１４】
（２）  前記サイクロン上流側添加剤がＣＯ２吸収・除去機能をも有する、前記（１）に記載のガス化発電方法における高温での酸成分除去方法。
【００１５】
（３）  前記サイクロン上流側添加剤の平均粒径が１００〜１０００μｍであることを特徴とする、前記（１）または（２）に記載のガス化発電方法における高温での酸成分除去方法。
【００１６】
（４）  前記サイクロン上流側添加剤が、焼成ドロマイト、消石灰、アルミン酸ソーダおよび重曹からなる群から選ばれることを特徴とする、前記（１）〜（３）のいずれか１に記載のガス化発電方法における高温での酸成分除去方法。
【００１７】
（５）  前記サイクロン処理工程の後かつ前記バグフィルタ処理工程の前で、脱塩・脱硫機能を有しかつ前記サイクロン上流側添加剤と同一であっても異なっていてもよいサイクロン下流側添加剤であって、焼成ドロマイト、消石灰、アルミン酸ソーダおよび重曹からなる群から選ばれる添加剤を、前記発電工程から出るガスを熱回収後に添加剤キャリアガスとして用いて、粗粉体除去済みガス化ガスに供給することを特徴とする、（１）〜（４）のいずれか１に記載のガス化発電方法における高温での酸成分除去方法。
【００１８】
（６）  前記サイクロン処理工程において前記添加剤を含む粗粉体を捕集して、該捕集粗粉体を前記ガス化材料と共に前記ガス化工程に供給することを特徴とする、（１）〜（５）のいずれか１に記載のガス化発電方法における高温での酸成分除去方法。
【００１９】
（７）  前記ＣＯ２吸収・改質工程で用いるＣＯ２吸収剤がＣａＯ、Ｃａ（ＯＨ）２および焼成ドロマイトからなる群から選ばれることを特徴とする、（１）〜（６）のいずれか１に記載のガス化発電方法における高温での酸成分除去方法。
【００２０】
（８）  前記改質ガスを熱回収処理後にＮａＯＨ水溶液によってＣＯ２吸収処理し、生じたＮａ２ＣＯ３を回収・除去することを特徴とする、（１）〜（７）のいずれか１に記載のガス化発電方法における高温での酸成分除去方法。
【００２１】
（９）  ガス化材料を部分燃焼ガス化するガス化炉と、前記ガス化炉の下流に設置されて同炉から出るガス化ガスを粗粉体捕集処理するサイクロンと、前記サイクロンの下流に設置されてここから出る粗粉体除去済みガス化ガスを除塵処理するバグフィルタと、前記バグフィルタの下流に設置されてここから出る除塵済みガス化ガスをＣＯ２吸収・改質処理するＣＯ２吸収・改質炉と、前記ＣＯ２吸収・改質炉の下流に設置されて同炉から出る改質ガスを利用して発電を行う発電設備とを含むガス化発電システムにおいて、
前記ガス化炉から前記サイクロンへの流路に、脱塩・脱硫機能を有する添加剤を供給するサイクロン上流側添加剤供給ラインが設けられ、同供給ラインに前記発電設備から来るキャリアガスラインが接続され、前記ＣＯ２吸収・改質炉のＣＯ２吸収剤充填層の直上流にＣＯ２吸収量が飽和に達した時に改質炉昇温用の酸素または空気をＣＯ２吸収剤充填層へ切り替える酸素または空気供給ラインが接続されていることを特徴とする、
ガス化発電システムにおける高温での酸成分除去装置。
【００２２】
（１０）  前記サイクロンから前記バグフィルタへの流路に、脱塩・脱硫機能を有する添加剤を供給するサイクロン下流側添加剤供給ラインが設けられ、同供給ラインに前記発電設備から来るキャリアガスラインが接続されていることを特徴とする、
前記（９）に記載のガス化発電システムにおける高温での酸成分除去装置。
【００２３】
粒子の平均粒径は、レーザー回折式粒度分布測定装置によって測定した値である。
【００２４】
本明細書および特許請求の範囲全体を通して、ガス化材料を部分燃焼ガス化することで得られたガスを［ガス化ガス］という。
【発明の効果】
【００２５】
本発明によれば、サイクロン処理工程の前で、脱塩・脱硫機能を有するサイクロン上流側添加剤をガス化ガスに供給することによって、さらにはバグフィルタ処理工程の前で、脱塩・脱硫機能を有するサイクロン下流側添加剤をガス化ガスに供給することによって、４５０〜７００℃といった高温度域のガス化ガスに対し、高い脱塩・脱硫性能を達成することができ、改質触媒の被毒を防止することができる。
【００２６】
また、上記のような添加剤を用いることによってダストやチャーにタール分が付着して装置の目詰りによる圧力損失の上昇を来すという問題を防ぐことができる。
【００２７】
さらに、ＣＯ２吸収・改質工程で用いるＣＯ２吸収剤をガス温度域４５０〜７００℃でＣＯ２吸収させ、ＣＯ２吸収量が飽和に達した時、改質触媒層昇温用の酸素または空気の流れをＣＯ２吸収剤充填層の直上流へ切り替え、同吸収剤充填層を８００〜９００℃の温度域に昇温して同吸収剤からＣＯ２を離脱させることによって、ガス化ガス中のＣＯ２を効率的にかつ永続的に除去することができる。
【図面の簡単な説明】
【００２８】
【図１】図１は、本発明の実施例を示すガス化発電システムのフロー図である。
【図２】図２は、脱塩・脱硫剤と脱塩・脱硫性能の関係を示すグラフおよび表である。
【図３−１】図３−１は、各種脱塩・脱硫剤と脱塩・脱硫性能の関係を示すグラフである（温度：５５０℃）。
【図３−２】図３−２は、各種脱塩・脱硫剤と脱塩・脱硫性能の関係を示すグラフである（温度：６００℃）。
【図３−３】図３−３は、各種脱塩・脱硫剤と脱塩・脱硫性能の関係を示すグラフである（温度：６５０℃）。
【発明を実施するための形態】
【００２９】
添付の図面に基づいて本発明の実施例を示す。ただしこれは本発明を限定するものではない。
【００３０】
初めに、ガス化発電システムについて図１に従って説明をする。
【００３１】
ガス化発電システムは、ガス化材料を部分燃焼ガス化するガス化炉１と、ガス化炉１の下流に設置されて同炉から出るガス化ガスを除塵するバグフィルタ３と、バグフィルタ３の下流に設置されて除塵済みのガスを改質処理するＣＯ２吸収・改質炉４と、ＣＯ２吸収・改質炉４の下流に設置されて同炉から出る改質ガスを利用して発電を行う発電設備５とを含む。
【００３２】
ガス化炉１からバグフィルタ３への流路には、サイクロン２が設置され、サイクロン２の上流側流路に、脱塩・脱硫機能を有し好ましくはさらに脱ＣＯ２機能をも有する添加剤を添加剤容器８から供給するサイクロン上流側添加剤供給ライン６が接続されている。また、サイクロン２からバグフィルタ３への流路に、脱塩・脱硫機能を有し好ましくはさらに脱ＣＯ２機能をも有する添加剤を添加剤容器１０から供給するサイクロン下流側添加剤供給ライン７が設けられている。
【００３３】
サイクロン上流側添加剤供給ライン６およびサイクロン下流側添加剤供給ライン７の各始端部には、発電設備５から低温ボイラー１３、除湿器１４、昇圧機１５およびタンク１６を介してキャリアガスライン９が接続されている。
【００３４】
前記ＣＯ２吸収・改質炉４のＣＯ２吸収剤充填層の直上流に、ＣＯ２吸収量が飽和に達した時に改質炉昇温用の酸素または空気の流れをＣＯ２吸収剤充填層へ切り替える酸素または空気供給ライン１９が接続されている。同ライン１９は通常はＣＯ２吸収・改質炉４の触媒充填層の直上流に昇温用の酸素または空気を供給する。
【００３５】
つぎに、図１のフロー図に従って本発明による、ガス化発電方法における高温での酸成分除去方法を工程ごとに具体的に説明する。
ガス化工程
廃棄物、RDF、木質チップなどのガス化材料をガス化炉１において部分燃焼ガス化する。ガス化炉１には炉底から酸素および水蒸気が供給される。
【００３６】
サイクロン処理工程
ガス炉１の炉頂から出るガス化ガスはサイクロン２へ送られ、ガス化ガス中の粒子は平均粒径１００μｍ以上の粗粉体と平均粒径１００μｍ未満の微粉体とに分けられる。サイクロン２に入るガスの温度は７００℃以下、好ましくは５５０〜６５０℃であり、サイクロン２を出るガスの温度は５５０〜６５０℃である。
【００３７】
サイクロン２の上流側流路にサイクロン上流側添加剤供給ライン６から脱塩・脱硫機能を有する添加剤が吹き込まれる。この添加剤は、好ましくは脱塩・脱硫機能に加えてＣＯ２吸収・除去機能をも有する。これは７００℃以下において塩化物や硫酸塩に変換され得るものであって、好ましくは焼成ドロマイト、消石灰、アルミン酸ソーダおよび重曹からなる群から選ばれる。前記添加剤の平均粒径は、好ましくは１００〜１０００μｍ、より好ましくは３００〜６００μｍである。コスト面では焼成ドロマイトが好ましく、脱塩・脱硫率の面ではアルミン酸ソーダが好ましい。この実施例では、数百μｍの平均粒径を有する焼成ドロマイトを添加剤容器８からライン６によってサイクロン上流へ供給した。
【００３８】
サイクロン２の上流側流路に脱塩・脱硫機能を有し、好ましくはＣＯ２吸収・除去機能をも有する添加剤を吹き込むことによって、ガス化ガスを脱塩・脱硫処理し、好ましくは脱炭酸処理することができると共に、サイクロン２内に付着したダストやタールの自浄作用を行うことができ、下流のバグフィルタにおける圧力損失を抑え、その運転を支障なく行うことができる。前記サイクロンによって平均粒径１００〜１０００μｍの粗粉体添加剤の一部または全部、ダスト、タールを底部で回収し、この回収物を前記ガス化材料と共に前記ガス化炉１に供給する。これにより下流のＣＯ吸収・改質炉４におけるタールの改質を補完することができる。
【００３９】
バグフィルタ処理工程
ついでサイクロン６から出る粗粉体除去済みガス化ガスは、同ガスを除塵処理するバグフィルタ３へ送られる。該粗粉体除去済みガス化ガスは平均粒径１００μｍ未満の粒子を含む。
【００４０】
サイクロン２からバグフィルタ３への流路に、サイクロン下流側添加剤供給ライン７によって、脱塩・脱硫機能を有する添加剤が吹き込まれる。この添加剤は、好ましくは脱塩・脱硫機能脱に加えてＣＯ２吸収・除去機能をも有する。この添加剤は、７００℃以下において塩化物や硫酸塩に変換され得るものであって、好ましくは焼成ドロマイト、消石灰、アルミン酸ソーダおよび重曹からなる群から選ばれる。前記添加剤の平均粒径は、好ましくは２０μｍ以下、より好ましくは１５μｍ以下である。コスト面では焼成ドロマイトが好ましく、脱塩・脱硫率の面ではアルミン酸ソーダが好ましい。サイクロン下流側添加剤はサイクロン上流側添加剤と同種でも異種でもよい。この実施例では、２０μｍ以下の平均粒径を有する焼成ドロマイトを添加剤タンク１０からサイクロン下流側添加剤供給ライン７によってサイクロン下流側へ供給した。
【００４１】
サイクロン２の下流側流路に脱塩・脱硫機能を有し、好ましくはＣＯ２吸収・除去機能をも有する添加剤を吹き込むことによって、粗粉体除去済みガス化ガスを脱塩・脱硫処理し、好ましくは脱炭酸処理することができる。特に脱塩・脱硫処理によって、下流のＣＯ２吸収・改質炉４において汎用されるＮｉ系改質触媒の寿命を延ばすことができる。
【００４２】
該添加剤の平均粒径は、脱塩、脱硫の効果を高めるために、好ましくは２０μｍ以下である。サイクロン下流側添加剤に公知の濾過助剤を併用することもできる。
【００４３】
粒子の平均粒径は、レーザー回折式粒度分布測定装置によって測定した値である。
【００４４】
この実施例では、バグフィルタ３として、タール分を含むダストの濾布への付着を防止し、濾布表面のケーキ層の剥離性をよくするためにプレコートバグフィルタを用いる。プレコートバグフィルタに入るガスの温度は５５０〜６５０℃であり、同バグフィルタを出るガスの温度は、放熱などにより５４０〜６４０℃程度に下がる。プレコートバグフィルタにおいて圧力損失が大きくなったとき、濾布表面のケーキ層をパルス・ジェット方式によって払い落とし、その後、サイクロン下流側添加剤、あるいは同添加剤に濾過助剤を併用したものを短時間で、濾布表面にプレコートする。プレコート時の圧力損失は０．５〜０．６ｋＰａを目処とする。濾布表面のケーキ層の払い落としは、圧力損失が好ましくは１．５〜１．８ｋＰａ（１５３．０〜１８３．５ｍｍＨ２Ｏ）の範囲にあるときに行う。
【００４５】
プレコートの量は、ガス中のＨＣｌ＋ＳＯ２の３当量を約２０分間程度で吹き込む。プレコートに要する時間と定常運転時間との総和で約３．５時間を１サイクルとするのが目安である。パルス・ジェットによる払い落としは、好ましくはバグの圧力損失制御によって行われる。
【００４６】
ＣＯ２吸収・改質工程
ガス化ガスは、バグフィルタ３で除塵された後、ＣＯ２吸収・改質炉４へ送られる。ＣＯ２吸収・改質炉４の上部にはＣＯ２吸収剤が充填され、下部には改質触媒が充填されている。ＣＯ２吸収剤としては、４５０〜７００℃、好ましくは５４０〜６４０℃の温度域でＣＯ２吸収による炭酸塩化が進み、８００〜９５０℃、好ましくは８５０〜９００℃の温度域で脱炭酸すなわちＣＯ２脱離が起こる化合物が用いられる。ＣＯ２吸収剤の例としては、ＣａＯ、Ｃａ（ＯＨ）２、焼成ドロマイト（ＣａＯ・ＭｇＯ）などが挙げられ、この実施例ではＣＯ２吸収剤としてＣａＯを用いた。
【００４７】
酸素または空気供給ライン１９の流路切替えによるＣＯ２吸収剤からのＣＯ２脱離について説明をする。
１）通常のＣＯ２吸収運転時にはガス化ガスの温度域は４５０〜７００℃、好ましくは５４０〜６４０℃であり、ＣＯ２吸収剤の温度もこの温度域に保持されている。ＣＯ２吸収剤としてＣａＯを用いる場合、
ＣａＯ＋ＣＯ２  →  ＣａＣＯ３ 
の反応に従ってＣＯ２が吸収剤により吸収除去される。このようにガス化ガス中のＣＯ２を除去することによって下記のシフト反応が右側へ進みやすくなる。
【００４８】
ＣＯ＋Ｈ２Ｏ  →  ＣＯ２＋Ｈ２
この状態では昇温用酸素または空気は酸素または空気供給ライン１９の通常流路によって改質触媒層の直上流へ供給されている。
２）ＣＯ２吸収量が飽和に達した時、通常運転時に触媒充填層の昇温に用いていた酸素または空気を、酸素または空気供給ライン１９の流路切替えによって、ＣＯ２吸収剤充填層の直上流へ供給し、同吸収剤を８００〜９５０℃、好ましくは８５０〜９００℃の温度域に昇温する。この温度域ではＣＯ２吸収剤の炭酸化物が熱分解してＣＯ２が同吸収剤から脱離する。
【００４９】
ＣＯ２吸収・改質炉４において酸素または空気の注入による昇温は、タール成分やＨ２、ＣＯ、ＣＨ４の酸化反応熱によって生じる。
【００５０】
ＣＯ２吸収剤のＣＯ２吸収量が飽和に達すると、高温ボイラー１１の下流に設けられてガス化ガス中のＣＯ２濃度を示す下流側ＣＯ２分析計１８の値が上昇し始めるので、上述のように昇温用酸素または空気をＣＯ２吸収剤充填層の直上流へ供給する。同吸収剤が８００〜９５０℃、好ましくは８５０〜９００℃の温度域に昇温すると、ＣａＣＯ３が分解をし始め、生じたＣＯ２が下流側へ流れる。この時はガス化ガス中のＣＯ２の濃度が一時的に上昇するので、シフト反応は促進されない。ＣＯ２吸収・改質炉４の上流に設けられてガス化ガス中のＣＯ２濃度を示す上流側ＣＯ２分析計１７と前記下流側ＣＯ２分析計１８とによってそれぞれ示されるＣＯ２濃度が接近すると、昇温用酸素または空気の流れを改質触媒層の直上流へ戻して、同触媒充填層の温度を４５０〜７００℃、好ましくは５４０〜６４０℃の範囲に下げる。
【００５１】
その後は上記１）と２）の運転が繰り返される。
【００５２】
ＣＯ２吸収剤充填層によってＣＯ２を除去することで、改質触媒充填層における下記シフト反応を促進させることができる。
【００５３】
タールの代表例としてトルエンを想定すると、ＣＯ２吸収・改質炉４において起こる主な反応は下記のとおりである。
【００５４】
ｉ）  Ｃ７Ｈ８＋９Ｏ２  →  ７ＣＯ２＋４Ｈ２Ｏ  ・・  酸化反応
ii)  Ｃ７Ｈ８＋７Ｈ２Ｏ  →  ７ＣＯ＋１１Ｈ２  ・    改質反応
iii)  ＣＯ＋Ｈ２Ｏ  →  ＣＯ２＋Ｈ２  ・・    ・・  シフト反応
iv)  その他、酸素が過剰に存在する場合には、Ｈ２、ＣＯ、ＣＨ４等の酸化反応も起こる。
【００５５】
冷却塔処理
ＣＯ２吸収・改質炉４の底部から出る８５０〜９００℃の高温ガスは、高温ボイラー１１へ送られてここで熱回収処理された後、温度１７０〜１８０℃で冷却塔１２へ送られる。冷却塔１２内にはＮａＯＨ水溶液が循環されており、これによってガス化ガス中のＣＯ２が吸収され、生じたＮａ２ＣＯ３塩が回収・除去される。したがって、温暖化効果ガスは排出されない。
【００５６】
発電工程
冷却塔１２を出た温度５５〜６０℃の低温ガスは、ガスタービンやガスエンジンを備えた発電設備５へ送られ、ここで発電に利用される。
【００５７】
キャリアガス
発電設備５から排出される温度４００℃のガスは次いで低温ボイラー１３によって熱回収処理された後、一部は１７０〜１８０℃で大気に放出され、残部はキャリアガスライン９によって除湿器１４、昇圧機１５およびタンク１６を介してサイクロン上流側添加剤供給ライン６およびサイクロン下流側添加剤供給ライン７の各始端部へ送られ、サイクロン上流側添加剤およびサイクロン下流側添加剤のキャリアガス（ガス温度５０℃）として利用される。このガス中の酸素濃度は１〜２容量％程度であり、ガス化炉の出口ガスへの該キャリアガスの注入割合は１／１５〜１／３０であるので、可燃ガスの燃焼による低位発熱量（ＬＨＶ）の低下を来すことはない。
【００５８】
実験例
つぎに本発明の実験例を示す。
【００５９】
廃棄物をガス化・改質して得られる可燃性ガスを利用して発電を行う、図１に示すシステムにおいて、各条件を変化させて実験を行った。ガス化炉１の出口ガスの組成の１例を表１に、ガス化炉１およびＣＯ２吸収・改質炉４の温度および各出口ガスに対する空気比を表２に、脱塩・脱硫剤と脱塩・脱硫性能の関係を図２に、発電設備５の出口ガスに対する空気比を表３に、各所脱塩・脱硫剤と脱塩・脱硫性能の関係を表４および図３に、炭酸カルシウムの生成・分解（ＣａＯ＋ＣＯ２⇔ＣａＣＯ３）に関する熱力学平衡計算の結果を表５に、それぞれ示す。
【００６０】
表５によれば、ＣＯ２吸収塔では、入口ＣＯ２が８．１％で、６００℃では平衡計算上９６．９８％のＣＯ２が吸収除去されることになる（６５０℃では８９．３７％）。また、吸収塔の温度を８５０℃に昇温すると、出口ＣＯ２濃度が３８．５９％になるまで分解することになる（９００℃では７９．４８％になるまで分解）。
【００６１】
【表１】
2018080299.tif 000002
【００６２】
【表２】
2018080299.tif 000003
【００６３】
【表３】
2018080299.tif 000004
【００６４】
【表４】
2018080299.tif 000005
【００６５】
【表５】
2018080299.tif 000006
【図１】
2018080299.tif 000007
【図２】
2018080299.tif 000008
【図３−１】
2018080299.tif 000009
【図３−２】
2018080299.tif 000010
【図３−３】
2018080299.tif 000011